(57)【要約】【課題】  既設の鉄道線路の架線に並行して架線を配置して現車試験に供するとともに、その架線を格納することができる鉄道線路の格納式架線を提供する。【解決手段】  鉄道車両に電力を供給する格納式架線であって、既設の架線１に並行して配置可能な架線３と、この架線３を格納する格納機構とを具備する。【選択図】  図１
2008189207.tif 000002
【特許請求の範囲】
【請求項１】
鉄道車両に電力を供給する格納式架線であって、
（ａ）既設の架線に並行して配置可能な架線と、
（ｂ）該架線を格納する格納機構とを具備することを特徴とする格納式架線。
【請求項２】
請求項１記載の格納式架線において、前記格納機構が、電柱と、該電柱に設けられる電柱バンドと、該電柱バンドに回転ピン構造を介して接続されるアームと、該アームの先端部の架線の支持部分に架線との角度を変更可能な固定手段とを具備することを特徴とする格納式架線。
【請求項３】
請求項１記載の格納式架線において、前記格納機構が、電柱と、該電柱に設けられる電柱バンドと、該電柱バンドに回転ピン構造を介して接続されるアームと、該アームを水平方向に伸縮可能な機構とを具備することを特徴とする格納式架線。
【請求項４】
請求項１記載の格納式架線において、前記格納機構が、電柱と、該電柱に設けられる電柱バンドと、該電柱バンドに回転ピン構造を介して接続されるアームと、該アームの先端部を上下方向に移動可能な機構とを具備することを特徴とする格納式架線。
【発明の詳細な説明】
【技術分野】
【０００１】
本発明は、鉄道線路の格納式架線に関するものである。
【背景技術】
【０００２】
従来、鉄道線路の架線の現車試験は、架線の一部区間を現車試験を行う架線に張り替えて行うようにしていた。つまり、当該一部区間に試験を行いたい架線を張って現車試験を行うようにしていた。
【０００３】
なお、従来、電車線路へ臨ませた荷役機械の自由な作動を可能にするように、電車線路の架線を所定長さ分だけ側方に退避させるスライド架線式貨物車用ターミナル（下記特許文献１参照）が提案されているが、本発明とは用途が相違するとともに、その構成及び作用が全く異なるものである。
【特許文献１】特開２００１−２５３２７１号公報
【発明の開示】
【発明が解決しようとする課題】
【０００４】
しかしながら、鉄道線路の架線の張り替えによる現車試験では工事に手間がかかるといった問題があった。
【０００５】
本発明は、上記状況に鑑みて、既設の鉄道線路の架線に並行して架線を配置して現車試験に供するとともに、その架線を格納することができる鉄道線路の格納式架線を提供することを目的とする。
【課題を解決するための手段】
【０００６】
本発明は、上記目的を達成するために、
〔１〕鉄道車両に電力を供給する格納式架線であって、既設の架線に並行して配置可能な架線と、この架線を格納する格納機構とを具備することを特徴とする。
【０００７】
〔２〕上記〔１〕記載の格納式架線において、前記格納機構が、電柱と、この電柱に設けられる電柱バンドと、この電柱バンドに回転ピン構造を介して接続されるアームと、このアームの先端部の架線の支持部分に架線との角度を変更可能な固定手段とを具備することを特徴とする。
【０００８】
〔３〕上記〔１〕記載の格納式架線において、前記格納機構が、電柱と、この電柱に設けられる電柱バンドと、この電柱バンドに回転ピン構造を介して接続されるアームと、このアームを水平方向に伸縮可能な機構とを具備することを特徴とする。
【０００９】
〔４〕上記〔１〕記載の格納式架線において、前記格納機構が、電柱と、この電柱に設けられる電柱バンドと、この電柱バンドに回転ピン構造を介して接続されるアームと、このアームの先端部を上下方向に移動可能な機構とを具備することを特徴とする。
【発明の効果】
【００１０】
本発明によれば、次のような効果を奏することができる。
【００１１】
（１）容易に、架線の現車試験を実施することができる。
【００１２】
（２）架線を使用しないときは格納して、他の列車の走行に支障しないようにすることができる。
【発明を実施するための最良の形態】
【００１３】
本発明の格納式架線は、鉄道車両に電力を供給する格納式架線であって、既設の架線に並行して配置可能な架線と、この架線を格納する格納機構とを具備する。
【実施例】
【００１４】
以下、本発明の実施の形態について詳細に説明する。
【００１５】
図１は本発明の実施例を示す鉄道線路の格納式架線を示す模式図であり、図１（ａ）は格納式架線を既設架線と並行に配置した状態を示す図、図１（ｂ）は格納式架線を格納した状態を示す図、図２はその格納式架線の工事の状況を示す写真である。
【００１６】
図１において、１は既設架線、２は既設架線１を支持する電柱、３は既設架線１に並行に配置される架線、４はその架線３を支えるアーム、５はそのアーム４を支持する電柱である。
【００１７】
図１（ａ）に示すように、架線３は既設架線１に並行に設置されて、架線３の現車試験を実施することができる。また、現車試験を行わないときには、図１（ｂ）に示すように、既設架線１から離れた位置に架線３を格納するように構成することができる。
【００１８】
図３は本発明の実施例を示す鉄道線路の架線の格納式機構の一例を示す図であり、図３（ａ）はその全体構成図、図３（ｂ）は架線が既設架線に並行に設置された場合の架線部とアームとの取り付け機構を示す図、図３（ｃ）は架線が既設架線から格納された場合の架線部とアームとの取り付け機構を示す図である。
【００１９】
これらの図に示すように、架線３の支持には、アーム（等辺山形鋼）４を使用する。電柱５とアーム４とは、電柱バンド６により接続する。これにより、電柱５との接続部分ピン構造７となり、アーム４の水平方向の角度移動が可能となる。また、架線３の支持部分８はボルト９，１０を２個の穴１１，１２に固定し、別途ボルト固定用の穴１３を開けておく。架線３を格納する場合には、ボルト１０を外すことにより、ボルト９を支持点としてピン節点とし架線３の回転が可能となる。架線３の回転後は別のボルト穴１３にボルト１０を用いてアーム４の一部を固定する。なお、アーム４と架線３の間には電気的絶縁を図るための碍子８Ａが設けられている。
【００２０】
上記したものは鉄道線路の架線の格納式機構の一例に過ぎず、以下のような機構としてもよい。
【００２１】
図４は本発明の実施例を示す鉄道線路の架線の格納式機構の一例を示す図である。
【００２２】
まず、図４（ａ）に示すように、既設架線１の近くに並行になるように架線３を配置して、架線３の現車試験が行えるようにする。次いで、架線３を格納する場合には、図４（ｂ）に示すように、架線３のアーム４を電柱５側に移動させ、既設架線１から十分離して格納するようにする。
【００２３】
これらの図に示すように、アーム４を水平方向に伸縮できる機構２１を用いることにより、架線３は既設架線１に対して水平方向に移動させてた位置に隔離して格納するようにしてもよい。なお、図示しないが、電柱５側には駆動用モータを配置して、この駆動用モータの駆動により、アーム４の水平方向への移動を行わせるようにしてもよい。
【００２４】
図５は鉄道線路の架線の格納式機構（その２）を示す模式図である。
【００２５】
まず、図５（ａ）に示すように、既設架線１の近くに並行になるように架線３を配置して、架線３の現車試験が行えるようにする。次いで、架線３を格納する場合には、図５（ｂ）に示すように、架線３のアーム４を電柱５側の上方に移動させ、既設架線１から十分上方に離して格納するようにする。
【００２６】
これらの図に示すように、アーム４を上部へ移動できる機構とする。例えば、電柱バンド６とアーム４の間には垂直方向に可動の軸受機構３１を配置し、架線３と電柱５の上方の電柱バンド６との間には支線３２を張り、その支線３２を巻き上げ可能な巻き上げ機構３３を電柱バンド６に配置する。これにより、架線３を既設架線１に対して上方に移動させた位置に離隔して格納するようにしてもよい。なお、図示していないが、巻き上げ機構３３には駆動用モータを内蔵し、駆動用モータの駆動により、アーム４の上方向への移動を行わせるようにしてもよい。
【００２７】
なお、上記実施例では、架線の現車試験について述べたが、これに代えて、新設建設時の線路切り替えや保守点検時の架線の設置に利用することができ、広範囲の利用が展開でき、その効果は著大である。
【００２８】
また、本発明は上記実施例に限定されるものではなく、本発明の趣旨に基づき種々の変形が可能であり、これらを本発明の範囲から排除するものではない。
【産業上の利用可能性】
【００２９】
本発明の格納式架線は、架線の現車試験を容易に実施するのに利用することができる。
【図面の簡単な説明】
【００３０】
【図１】本発明の実施例を示す鉄道線路の格納式架線を示す模式図である。
【図２】本発明の実施例を示す鉄道線路の格納式架線の工事の状況を示す写真である。
【図３】本発明の実施例を示す鉄道線路の架線の格納式機構の一例を示す図である。
【図４】鉄道線路の架線の格納式機構（その１）を示す模式図である。
【図５】鉄道線路の架線の格納式機構（その２）を示す模式図である。
【符号の説明】
【００３１】
１    既設架線
２    既設架線を支持する電柱
３    架線
４    架線を支えるアーム
５    アームを支持する電柱
６    電柱バンド
７    接続部分ピン構造
８    架線の支持部分
８Ａ    碍子
９，１０    ボルト
１１，１２，１３    穴
２１    アームを水平方向に伸縮できる機構
３１    垂直方向に可動の軸受機構
３２    支線
３３    巻き上げ機構
【図１】
2008189207.tif 000003
【図３】
2008189207.tif 000004
【図４】
2008189207.tif 000005
【図５】
2008189207.tif 000006
【図２】
2008189207.tif 000007